(57)【要約】【課題】再生中のオーディオディスク記録媒体等の情報（収録されている曲目名等）を、装置を大型化することなくディスプレイに表示できる車載用オーディオ装置を提供する。【解決手段】ＣＤケース挿入口の奥側に設けられ、該ＣＤケース挿入口に挿入されるＣＤケースの背表紙に表示されている背表紙画像の情報を読み取るスキャナ部５と、背表紙画像の情報とそれに対応したＣＤもしくは該ＣＤの音楽情報を記録したファイルとを関連付けしたデータとして保存する記憶媒体１８と、ファイル再生部１５（もしくはＣＤ再生部１６）で再生中の音楽情報に対し、この音楽情報が記録されているファイル（もしくはＣＤ）に対応しているＣＤケースの背表紙画像の情報を記憶媒体１８に保存されているデータから抽出してディスプレイ９に表示させる表示制御部１９とを有している。【選択図】図２
2007272934.tif 000002
【特許請求の範囲】
【請求項１】
オーディオディスク記録媒体に記録されている少なくとも音楽情報を再生するための再生手段と、様々な情報を表示自在な表示手段とを備えた車載用オーディオ装置において、
前記オーディオディスク記録媒体を収納しているオーディオディスク収納ケースの横長状の背表紙側を所定位置まで挿入自在なケース挿入口と、
前記ケース挿入口の奥側に設けられ、該ケース挿入口に挿入される前記オーディオディスク収納ケースの背表紙に表示されている背表紙画像の情報を読み取るスキャナ手段と、
前記背表紙画像の情報とそれに対応したオーディオディスク記録媒体もしくは該オーディオディスク記録媒体の音楽情報を記録したファイルとを関連付けしたデータとして保存する第１の記憶手段と、
前記再生手段で再生中の音楽情報に対し、この音楽情報が記録されているオーディオディスク記録媒体もしくは前記ファイルに対応している前記背表紙画像の情報を前記第１の記憶手段に保存されている前記データから抽出して前記表示手段に表示させる表示制御手段と、を有する、
ことを特徴とする車載用オーディオ装置。
【請求項２】
前記スキャナ手段で読み取った前記背表紙画像を前記表示手段の表示サイズに合わせて加工する画像加工手段を有する、
ことを特徴とする請求項１に記載の車載用オーディオ装置。
【請求項３】
前記再生手段は、前記オーディオディスク記録媒体に記録されている音楽情報を再生する第１の再生手段と、前記オーディオディスク記録媒体に記録されている音楽情報を装置本体に内蔵している第２の記憶手段に前記ファイルとして記録し、前記第２の記憶手段に記録した前記ファイルを再生する第２の再生手段とを有する、
ことを特徴とする請求項１または２に記載の車載用オーディオ装置。
【請求項４】
前記ケース挿入口に前記オーディオディスク収納ケースの背表紙側が所定位置まで挿入されるのに合わせてスキャナ開始スイッチがオンされ、前記スキャナ手段によるスキャナ動作が開始される、
ことを特徴とする請求項１ないし３のいずれか１項記載の車載用オーディオ装置。
【発明の詳細な説明】
【技術分野】
【０００１】
本発明は、車両に搭載されるＣＤ（ＣｏｍｐａｃｔＤｉｓｃ）等のオーディオディスク記録媒体の再生機能を有し、かつディスプレイを備えた車載用オーディオ装置に関する。
【背景技術】
【０００２】
一般的な車両（自動車）には、音楽などを記録したＣＤ等のオーディオディスク記録媒体を再生する車載用オーディオ装置がインストルメントパネルに設置されており、走行中などにおいてＣＤ等を再生して音楽などを車室内で聞くことができる。オーディオディスク記録媒体としてのＣＤは、一般にＣＤジャケットを備えたＣＤケース（プラスチックケース）内に収納されており、このＣＤジャケットには収録されている曲目名などが印刷されている。
【０００３】
ところで、ＣＤを収納したＣＤケースを車室内に複数枚持ち込んでいるときには、現在再生中のＣＤの情報（例えば、収録されている曲目名など）を確認したり知りたい場合がある。この場合、走行中においては、運転者が直接手にとってそのＣＤケースのＣＤジャケットを見ることは運転者の視線移動が大きく、安全運転上好ましくなかった。
【０００４】
そこで、再生中のＣＤのＣＤジャケットをスキャナしてディスプレイに表示させ、運転者の視線移動を小さくしてＣＤの情報（例えば、収録されている曲目名など）を容易に認識することができる装置が提案されている（例えば、特許文献１参照）。
【特許文献１】特開２００４−２６５５２６号公報
【発明の開示】
【発明が解決しようとする課題】
【０００５】
ところで、前記特許文献１に記載の装置（車載用記録媒体ジャケット表示装置）では、ＣＤケースとほぼ同じ大きさのＣＤジャケット全体をスキャナする撮像部を車室内のセンタコンソールに別体として設置する必要があるので、装置の小型化が望まれていた。
【０００６】
そこで、本発明は、再生中のオーディオディスク記録媒体などの情報（例えば、収録されている曲目名など）を、装置を大型化することなくディスプレイに容易に表示させることができる車載用オーディオ装置を提供する。
【課題を解決するための手段】
【０００７】
前記目的を達成するために本発明は、オーディオディスク記録媒体に記録されている少なくとも音楽情報を再生するための再生手段と、様々な情報を表示自在な表示手段とを備えた車載用オーディオ装置において、前記オーディオディスク記録媒体を収納しているオーディオディスク収納ケースの横長状の背表紙側を所定位置まで挿入自在なケース挿入口と、前記ケース挿入口の奥側に設けられ、該ケース挿入口に挿入される前記オーディオディスク収納ケースの背表紙に表示されている背表紙画像の情報を読み取るスキャナ手段と、前記背表紙画像の情報とそれに対応したオーディオディスク記録媒体もしくは該オーディオディスク記録媒体の音楽情報を記録したファイルとを関連付けしたデータとして保存する第１の記憶手段と、前記再生手段で再生中の音楽情報に対し、この音楽情報が記録されているオーディオディスク記録媒体もしくは前記ファイルに対応している前記背表紙画像の情報を前記第１の記憶手段に保存されている前記データから抽出して前記表示手段に表示させる表示制御手段と、を有することを特徴としている。
【０００８】
また、請求項２に係る本発明は、前記スキャナ手段で読み取った前記背表紙画像を前記表示手段の表示サイズに合わせて加工する画像加工手段を有することを特徴としている。
【０００９】
また、請求項３に係る本発明は、前記再生手段が、前記オーディオディスク記録媒体に記録されている音楽情報を再生する第１の再生手段と、前記オーディオディスク記録媒体に記録されている音楽情報を装置本体に内蔵している第２の記憶手段に前記ファイルとして記録し、前記第２の記憶手段に記録した前記ファイルを再生する第２の再生手段とを有することを特徴としている。
【００１０】
また、請求項４に係る本発明は、前記ケース挿入口に前記オーディオディスク収納ケースの背表紙側が所定位置まで挿入されるのに合わせてスキャナ開始スイッチがオンされ、前記スキャナ手段によるスキャナ動作が開始されることを特徴としている。
【発明の効果】
【００１１】
本発明に係る車載用オーディオ装置によれば、スキャナ手段によってオーディオディスク収納ケースの背表紙に表示されている背表紙画像の情報を読み取り、読み取った背表紙画像の情報とそれに対応したオーディオディスク記録媒体とを関連付けしたデータとして記憶媒体に保存しておくことにより、再生手段で再生中の音楽情報に対し、この音楽情報が記憶されているオーディオディスク記録媒体もしくは該オーディオディスク記録媒体の音楽情報を記録したファイルに対応している背表紙画像の情報を第１の記憶手段に保存されているデータから抽出して表示手段に表示させることができる。
【００１２】
このように、本発明では、スキャナ手段によってオーディオディスク収納ケースの背表紙に表示されている背表紙画像の情報をスキャンして読み取る構成により、小型のスキャナ手段を用いることができるので、装置を大型化することなく表示手段に背表紙画像（曲目名等）を容易に表示させることができる。
【発明を実施するための最良の形態】
【００１３】
以下、本発明を図示の実施形態に基づいて説明する。図１は、本発明の実施形態に係る車載用オーディオ装置を示す斜視図、図２は、本発明の実施形態に係る車載用オーディオ装置の構成を示すブロック図である。なお、本実施形態に係る車載用オーディオ装置は、オーディオディスク記録媒体としてのＣＤ（以下の説明ではＤＶＤも含む）に記録されている音楽情報の再生機能、およびこの再生と同時に内蔵しているハードディスク装置（ＨＤＤ）に当該音楽情報を録音（記録）して再生する機能も有している。
【００１４】
図１に示すように、本実施形態に係る車載用オーディオ装置１は、装置本体２と、この装置本体２の前面側に略水平位置まで傾動自在な操作パネル部３とを有している。この車載用オーディオ装置１は、例えば２ＤＩＮサイズの大きさであり、車両（自動車）のインストルメントパネル（不図示）に設置される。
【００１５】
装置本体２の前面部には、音楽情報等を記録したＣＤを挿入／排出するためのＣＤ挿入部４と、この挿入部の下にスキャナ部５が設けられている。音楽情報等を記録したＣＤは、図３に示すように、開閉自在なＣＤケース（プラスチックケース）６に収納されており、ＣＤケース６内にはＣＤジャケット７が添付されている。このＣＤジャケット７の表面には、記録されている音楽情報に対応したアーティスト名、写真、イラスト等が印刷されている。また、ＣＤケース６の背表紙７ａには、一般に記録されている音楽情報に対応した複数の曲目名が印刷されている。
【００１６】
スキャナ部５は、図１に示すように、ＣＤケース６の背表紙７ａ側が入る大きさに形成された横長で凹状のＣＤケース挿入口８から数センチ程度奥側に設置されており、ＣＤケース挿入口８に挿入されるＣＤケース６内の背表紙７ａを読み取る周知のスキャナユニット（不図示）を有している。ＣＤケース挿入口８は、ＣＤケース６の背表紙７ａ側が挿入されたときにＣＤケース６から手を離しても抜け落ちない程度の奥行きを有している。また、ＣＤケース挿入口８内には、ＣＤケース６の背表紙７ａ側を挿入したときに自動的にＯＮするスキャナ開始スイッチ（不図示）が設けられている。
【００１７】
操作パネル部３には、様々な情報を表示する液晶パネルのディスプレイ９と、複数の操作ボタン１０を有している。なお、本実施形態では、押圧してＯＮ／ＯＦＦする操作ボタン１０を用いているが、これ以外にもディスプレイ９上のタッチパネル式の操作ボタンでもよい。操作パネル部３の両側とケース本体２側には、操作パネル部３を装置本体２の前面側に略水平位置まで傾動させる傾動機構（不図示）が設けられており、操作パネル部３には、この傾動機構を作動させるための開閉スイッチ（不図示）が設けられている。
【００１８】
また、装置本体２内には、図２に示すように、車載用オーディオ装置１で再生している音楽情報に対応したＣＤケース６の背表紙７ａ（図３参照）の画像情報（曲目名等）をディスプレイ９に表示させるための背表紙画像表示ユニット部１１と、車載用オーディオ装置１全体を制御する主制御部１２と、ファイル録音部１３と、ファイル録音部１３で圧縮されたファイルを記録するハードディスクやＳＤカードなどの記憶媒体１４と、ファイル再生部１５（第２の再生手段）と、ＣＤ再生部１６（第１の再生手段）を備えている。なお、ファイル録音部１３と、記憶媒体１４と、ファイル再生部１５は、装置本体２に内蔵されている前記したハードディスク装置に相当する。
【００１９】
ファイル録音部１３は、ＣＤ挿入部４からＣＤ再生部１６に挿入された音楽情報等を記録したＣＤの音楽情報等をＭＰ３方式等の圧縮フォーマットのファイルに変換して複写録音（記録）する。この複写録音（記録）されたファイルは記憶媒体１４に記録（保存）される。ファイル再生部１５は、記憶媒体１４に記録された前記圧縮フォーマットのファイルを再生する。また、ＣＤ再生部１６は、ＣＤ挿入部４から挿入された音楽情報等を記録したＣＤを再生する。
【００２０】
背表紙画像表示ユニット部１１は、スキャナ部５で読み取ったＣＤケース６の背表紙７ａの画像情報（曲目名等）をディスプレイ９のサイズに合わせて編集加工する画像加工部１７と、編集加工した背表紙画像とそれに対応する前記記憶媒体１４に記録されたファイルとの関連付け情報を背表紙画像データベースとして保存するハードディスクなどの記憶媒体１８と、ファイル再生部１５（もしくはＣＤ再生部１６）により再生中のファイル（もしくはＣＤ）に対応した背表紙画像を記憶媒体１８に記録している背表紙画像データベースから抽出してディスプレイ９に表示させる表示制御部１９を有している。
【００２１】
次に、前記した本実施形態に係る車載用オーディオ装置１による再生中（もしくは録音中）のファイルに対応したＣＤの背表紙画像を取得（保存）するまでの動作を、図４に示すフローチャートを参照して説明する。
【００２２】
まず、ファイル録音部１３により、ＣＤ挿入部４からＣＤ再生部１６に挿入された音楽情報等を記録したＣＤの音楽情報等をＭＰ３方式等の圧縮フォーマットのファイルに変換して録音（記録）中、もしくはファイル再生部１５により、記憶媒体１４に記録されているファイルを再生中においては（ステップＳ１）、通常は図５に示すように、操作パネル部３が装置本体２の前面に位置している。なお、ファイル録音部１３で録音中においても、ＣＤ再生部１６でＣＤを再生することができる。
【００２３】
そして、運転者などの操作者が開閉スイッチ（不図示）を押圧して傾動機構（不図示）を作動させ、図１に示したように、操作パネル部３を装置本体２の前面側に略水平位置まで傾動させる（ステップＳ２）。これにより、装置本体２の前面のＣＤ挿入部４およびＣＤケース挿入口８が露出する。
【００２４】
そして、操作者（運転者など）が手に持ったＣＤケース６（図３参照）の背表紙７ａ側をＣＤケース挿入口８に挿入する（ステップＳ３）。なお、このＣＤケース６の背表紙７ａは、ステップＳ１で録音（記録）中もしくは再生中のファイルに対応したものである。ＣＤケース６の背表紙７ａ側はＣＤケース挿入口８内に数センチ入った状態で保持され、同時にスキャナ開始スイッチ（不図示）がＯＮされる。
【００２５】
これにより、ＣＤケース挿入口８の奥に位置しているスキャナ部５のスキャナユニット（不図示）が作動して、背表紙７ａのスキャンを開始する（ステップＳ４）。そして、このスキャンにより背表紙７ａの画像情報（曲目名等）を取得する（ステップＳ５）。そして、取得された背表紙画像（曲目名等）は、画像加工部１７にてディスプレイ９に適切に表示できるように画像サイズ（画像の向きや大きさ）が変更（加工）される（ステップＳ６）。
【００２６】
そして、ステップＳ１でＣＤの音楽情報を録音（記録）中のファイルもしくは再生中のファイルとそれに対応したＣＤの背表紙画像（曲目名等）との関連付けを行い（ステップＳ７）、これらの関係データを背表紙画像データベースとして記憶媒体１８に保存（記録）する（ステップＳ８）。なお、ＣＤ再生部１６でＣＤを再生中においても、前記同様にしてこのＣＤのＣＤケースの背表紙の画像をスキャナ部５で読み取ることにより、再生中のＣＤとそれに対応した背表紙画像（曲目名等）とを関連付けしたデータが記憶媒体１８に取得（保存）される。
【００２７】
このように、複数のファイル（ＣＤ）と対応したＣＤケースの背表紙画像（曲目名等）を背表紙画像データベースとして記憶媒体１８に保存しておくことにより、ファイル再生部１５（もしくはＣＤ再生部１６）によるファイル（もしくはＣＤ）の再生時において、表示制御部１９により再生中のファイル（もしくはＣＤ）に対応したＣＤケースの背表紙画像（曲目名等）を記憶媒体１８に記録している背表紙画像データベースから抽出してディスプレイ９に容易に表示させることができる。
【００２８】
また、本発明では、ＣＤケースの背表紙画像のみをスキャナ部５でスキャナする構成により、装置本体２の前面にＣＤケースの背表紙側を挿入するＣＤケース挿入口８とその奥側にスキャナ部５を設置することが可能となり、車載用オーディオ装置１を大型化することなくディスプレイ９に背表紙画像（曲目名等）を表示させることができる。更に、ＣＤケース挿入口８とスキャナ部５は、ケース本体２の前面から突出していないので、ディスプレイ９を有する操作パネル部３の傾動動作と干渉することはない。
【００２９】
また、スキャナ部５で読み取ったＣＤケースの背表紙画像を、画像加工部１７によりディスプレイ９のサイズに合わせて加工することによって、背表紙画像をディスプレイ９のサイズに合わせて適切な大きさに表示することができる。
【００３０】
また、前記実施形態では、ＣＤケースの背表紙側をＣＤケース挿入口８に挿入して、ＣＤケース挿入口８内でＣＤケースが抜け落ちないように保持する構成であったが、ＣＤケース挿入口８の奥行きを浅くして、操作者（運転者など）がＣＤケースを手で持った状態でその背表紙側をＣＤケース挿入口８に押し当てるように保持し、その奥側のスキャナ部５でスキャナする構成でもよい。
【図面の簡単な説明】
【００３１】
【図１】本発明の実施形態に係る車載用オーディオ装置を示す斜視図。
【図２】本発明の実施形態に係る車載用オーディオ装置の構成を示すブロック図。
【図３】ＣＤケースを示す斜視図。
【図４】再生中（もしくは録音中）の音楽ファイルに対応したＣＤの背表紙画像を取得（保存）するまでの動作を示すフローチャート。
【図５】本発明の実施形態に係る車載用オーディオ装置の装置本体の前面が操作パネル部で閉じている状態を示す斜視図。
【符号の説明】
【００３２】
１        車載用オーディオ装置
２        装置本体
３        操作パネル部
４        ＣＤ挿入部
５        スキャナ部（スキャナ手段）
６        ＣＤケース（オーディオディスク収納ケース）
７        ＣＤジャケット
７ａ      背表紙
８        ＣＤケース挿入口（ケース挿入口）
９        ディスプレイ（表示手段）
１０      操作ボタン
１１      背表紙画像表示ユニット部
１２      主制御部
１３      ファイル録音部
１４      記憶媒体（第２の記憶手段）
１５      ファイル再生部（第２の再生手段）
１６      ＣＤ再生部（第１の再生手段）
１７      画像加工部（画像加工手段）
１８      記憶媒体（第１の記憶手段）
１９      表示制御部（表示制御手段）
【図１】
2007272934.tif 000003
【図２】
2007272934.tif 000004
【図３】
2007272934.tif 000005
【図４】
2007272934.tif 000006
【図５】
2007272934.tif 000007